(57)【要約】      （修正有）【課題】荷台を供えた小型トラックのフック付平シートを被せるように設けた時に、降雨や降雪が溜まりにくくする荷台を供えた小型トラックの平シート補助具を提供する。【解決手段】ボディ本体に設けられた、小型トラックの荷台のリアゲートに設けられたリアゲート上部受け部中央部面に、リアゲート支え軸板受け部１５に設けたリアゲート補助軸支持受け部１６を供えたリアゲート支え軸板付本体１４を設ける。リアゲート平ゴムマットを設けたリアゲートの上部受け部面に当たるリアゲート上部受け部面にリアゲート支え軸板受け部１５とリアゲート補助軸支持受け部１６を設けたリアゲート支え軸板付本体１４を固定するように配置する。係止補助軸保持部本体に設けたゴムキャップ部２０をリアゲート支え軸板付本体１４に供えたリアゲート補助軸支持受け部１６面中央部面に係止するよう付本体１４に供えたリアゲート補助軸支持受け部１６面中央部面に係止するように当接する。【選択図】図１１
0003229037.tif 000002
【実用新案登録請求の範囲】
【請求項１】
小型トラックのボディ本体の荷台フロアーに設けたボディ本体の運転席背面に、ガードバー付きアングルポスト設け、アングルポスト支え横軸にアングルポスト縦支え左軸並びにアングルポスト縦支え右軸を設けたガードバー付きアングルポストを設け、荷台フロアーに設けた右サイドゲート並びに左サイトゲート両サイドゲートを支えるリアゲートを設け、荷台のリアゲートの上部面に当たるリアゲート上部受け部面にリアゲートゴムマットを設け、リアゲート上部受け部の中央部面に当たる位置に、リアゲート支え軸板付本体にリアゲート支え軸板受け部とリアゲート補助軸支持受け部を設け、リアゲート支え軸板付本体を固定するように配置するように設け、ゴムキャップ部を設けた係止補助軸保持部本体に固定ナット部付き蝶々ネジを設け、保持部本体アジャスト軸にアジャスト嵌合通孔を設け、保持部本体アジャスト軸の軸先面に右軸平板ゴムマットを設け、アングルポスト係止右軸板本体並びに左軸平板ゴムマットを設けたアングルポスト係止左軸板本体を設け、アングルポスト係止右軸板本体並びにアングルポスト係止左軸板本体に設け、右軸平板ゴムマット、並びに左軸平板ゴムマットの凹面をアングルポスト支え横軸に設け、アングルポスト支え横軸とアングルポスト縦支え右軸の間に介在するようにアングルポスト支え横軸に定着するように当着し、アングルポスト支え横軸に外嵌するように設け、固着した係止補助軸保持部本体に設け、ゴムキャップ部を介在するようにリアゲート支え軸板付本体に設けたリアゲート補助軸支持受け部の面中央位置に係止し当接するように設け、係止補助軸保持部本体を保持したことを特徴とする荷台を供えた小型トラックの平シート補助具。
【請求項２】
リアゲート支え軸板付本体は風雨に耐えられる、ステンレス素材と係止補助軸保持部本体素材も風雨に耐えられる、ステンレス素材で構成された、ことを特徴とする荷台を供えた小型トラックの平シート補助具。
【請求項３】
リアゲート支え軸板付本体並びに係止補助軸保持部本体素材軽量化を考慮した形状材質の、プラスチック素材で構成されることを特徴とする荷台を供えた小型トラックの平シート補助具。
【請求項４】
リアゲート支え軸板付本体の上部幅面形状はフック付き平シートを、冠着するように設けた時に、外部空面などからの豪雨並びに豪雪に供えて、適度のフック付き平シートに抵抗面を持たせることによりフック付き平シートが荷台内側に凹みにくくするように設けたことを特徴とする荷台を供えた小型トラックの平シート補助具。
【考案の詳細な説明】
【技術分野】
【０００１】  この考案は、荷台を供えた小型トラックのフック付平シートを被せるように設けた時に、降雨や降雪が荷台のフック付平シートに溜まりにくくする荷台を供えた小型トラックの平シート補助具に関するものである。
【背景技術】
【０００２】  従来、荷台を供えた小型トラックのフック付平シートを被せるように設けた時に、フック付平シートを上部ロープフック並びに下部ロープフックにロープ並びにゴムフックなどでフック付平シートを固定するように設け雨水や雪などが荷台に入らないようにフック付平シートを被せ持ち、天候により降雨や降雪が降り出すと、簡易に風雨や風雪から守るために被せたフック付平シートのシート上部面に水などが溜まり荷台に設けた機材などを取り出したりする時に、荷台の作業するときに、荷台内部に水などがこぼれて荷台並びに機材などに水がかかる等のトラブルが絶えなかった。
【考案の開示】
【考案が解決しようとする課題】
【０００３】  そのためにつぎのような問題点があった。
降雨雪時に小型トラックの荷台に雨などが侵入しないように、荷台にフック付平シートを被せて降雨などから雨水を防いでいるが、フック付平シートはロープフック等により、雨風などにも煽られないように、ロープフックでリアゲートや右サイドゲート及び左サイトゲートに供えられている複数のロープフックで平シートは保持されているが、降雨などが降られるとフック付平シートの凹み箇所に降雨が溜まることは自然の理で、荷物は降雨から守られるが、荷物の積み下ろし時において、フック付平シート上の溜まった降雨などが、フック付平シートの覆いを取る時に、荷台の内側に溜まり水が溢れる荷が濡れてしまうという問題を抱えていた。そこで、本考案においては、小型トラックの荷台に積まれた機材並びに荷台床内部がフック付平シートの凹みに溜まる降雨などが溜まらないようにすることをその課題としている。
本考案は以上の問題点を解決するためになされたものである。
【課題を解決するための手段】
【０００４】    上記の課題を解決するために、本考案は、ボディ本体に設けられた荷台のリアゲート上部受け部中央部面に、リアゲート支え軸板受け部に設けたリアゲート補助軸支持受け部を供えたリアゲート支え軸板付本体をリアゲートゴムマットを設け、リアゲートの上部受け部面に当たるリアゲート上部受け部面にリアゲート支え軸板受け部とリアゲート補助軸支持受け部を設けたリアゲート支え軸板付本体を固定するように配置するように設け、係止補助軸保持部本体に設けたゴムキャップ部をリアゲート支え軸板付本体に供えたリアゲート補助軸支持受け部面中央部面に係止し当接するように設け、保持部本体アジャスト軸の軸先面に設けた、アングルポスト係止右軸板本体並びにアングルポスト係止左軸板本体に設けた右軸平板ゴムマット並びに左軸平板ゴムマットに供えた凹みの面をアングルポスト支え横軸とアングルポスト縦支え右軸及びアングルポスト縦支え左軸の間中央にアングルポスト支え横軸に固定するように当着しアングルポスト支え横軸に外嵌するように固着し、フック付平シートを、係止補助軸保持部本体に設けた右軸平板ゴムマット並びに左軸平板ゴムマットの先端まで被せリアゲートに設け、リアゲート支え軸板付本体上部角左右面までを覆いかぶせることにより、三角傾斜のついた荷台の水切りフック付平シートが形成される荷台を供えた小型トラックの平シート補助具である。
【考案の効果】
【０００５】  ボディ本体に設けられた、小型トラックの荷台のリアゲートに設けたリアゲート支え軸板付本体の上部角左右面形状に覆いかぶさるようにフック付平シートを覆い被せるように設け、係止補助軸保持部本体の軸先端に設けた右軸平板ゴムマット並びに左軸平板ゴムマットに供えた凹みの面をアングルポスト支え横軸に固定するように当着し、アングルポスト支え横軸に外嵌するように固着し設け、フック付平シートを係止補助軸保持部本体の軸先端まで被せることにより三角傾斜のついた荷台の平シートが形成され平シートは三角錐形状で張りを保持するために荷台に覆われたフック付平シートには、降雨雪などが溜まらず、常備自然落下にて水切りできる。
【考案を実施するため最良の形態】
【０００６】  以下本考案の実施の形態について図面に基づき説明する。
（イ）ボディ本体（１）に設けられた、小型トラックの荷台のリアゲート（３）に設けられたリアゲート上部受け部（４）中央部面に、リアゲート支え軸板受け部（１５）に設けたリアゲート補助軸支持受け部（１６）を供えたリアゲート支え軸板付本体（１４）を設ける。
（ロ）リアゲート平ゴムマット（１３）を設けたリアゲートの上部受け部（４）面に当たるリアゲート上部受け部（４）面にリアゲート支え軸板受け部（１５）とリアゲート補助軸支持受け部（１６）を設けたリアゲート支え軸板付本体（１４）を固定するように配置するように設ける。
（ハ）係止補助軸保持部本体（１７）に設けたゴムキャップ部（２０）をリアゲート支え軸板付本体（１４）に供えたリアゲート補助軸支持受け部（１６）面中央部面に係止するよう付本体（１４）に供えたリアゲート補助軸支持受け部（１６）面中央部面に係止するように当接するように設ける。
（二）保持部本体アジャスト軸（２１）の先面に設けた、アングルポスト係止右軸板本体（２２）並びにアングルポスト係止左軸板本体（２３）に設けた右軸平板ゴムマット（２４）並びに左軸平板ゴムマット（２５）に供えた凹みの面をアングルポスト支え横軸（８）とアングルポスト縦支え右軸（９）及びアングルポスト縦支え左軸（１０）の間中央部にアングルポスト支え横軸（８）に固定するように当着しアングルポスト支え横軸（８）に外嵌するように設け固着する。
本考案は、以上の構造でこれを使用するときは、（ホ）フック付平シート（２６）を係止補助軸保持部本体（１７）の右軸平板ゴムマット（２４）並びに左軸平板ゴムマット（２５）の先端まで被せ、リアゲート（３）に設けられたリアゲート支え軸板付本体（１４）上部角左右面まで覆いかぶせることにより、三角傾斜のついた荷台の水切りフック付平シート（２６）が形成される。
【図面の簡単な説明】
【０００７】
【図１】  本考案の斜視図
【図２】  本考案のリアゲート支え軸板付本体使用状態を示す斜視図
【図３】  本考案の係止補助軸保持部本体構造を示す斜視図
【図４】  本考案のリアゲート支え軸板付本体状態を示す斜視図
【図５】  本考案のリアゲート支え軸板付本体を示す斜視図
【図６】  本考案のリアゲート支え軸板受け部を示す斜視図
【図７】  本考案のリアゲート補助軸支持受け部を示す斜視図
【図８】  本考案のリアゲート支え軸板付本体の構造を示す左側面図
【図９】  本考案のリアゲート支え軸板付本体の構造を示す底面図
【図１０】  本考案のリアゲート支え軸板付本体の底面構造を示す斜視図
【図１１】  本考案の使用状態を示す斜視図
【図１２】  本考案の荷台からの使用状態を示す斜視図
【図１３】  本考案の使用状態を示す斜視図
【符号の説明】
【０００８】  １  ボディ
２  荷台フロアー
３  リアゲート
４  リアゲート上部受け部
５  右サイドゲート
６  左サイトゲート
７  ガードバー付きアングルポスト
８  アングルポスト支え横軸
９  アングルポスト縦支え左軸
１０  アングルポスト縦支え右軸
１１  上部ロープフック
１２  下部ロープフック
１３  リアゲート平ゴムマット
１４  リアゲート支え軸板付本体
１５  リアゲート支え軸板受け部
１６  リアゲート補助軸支持受け部
１７  係止補助軸保持部本体
１８  固定ナット部付蝶々ネジ
１９  アジャスト嵌合通孔
２０  ゴムキャップ部
２１  保持部本体アジャスト軸
２２  アングルポスト係止右軸板本体
２３  アングルポスト係止左軸板本体
２４  右軸平板ゴムマット
２５  左軸平板ゴムマット
２６  フック付平シート
２７  フック
【図１】
0003229037.tif 000003
【図２】
0003229037.tif 000004
【図３】
0003229037.tif 000005
【図４】
0003229037.tif 000006
【図５】
0003229037.tif 000007
【図６】
0003229037.tif 000008
【図７】
0003229037.tif 000009
【図８】
0003229037.tif 000010
【図９】
0003229037.tif 000011
【図１０】
0003229037.tif 000012
【図１１】
0003229037.tif 000013
【図１２】
0003229037.tif 000014
【図１３】
0003229037.tif 000015